(57)【特許請求の範囲】
【請求項１】
基地局設備が複数のマルチメディア放送及びマルチキャスト・サービスMBMS同期データフレーム（以下、MBMS同期データフレームという）に対してスケジューリング伝送を行うのに使用されるスケジューリング順番を獲得することと、
前記基地局設備が前記スケジューリング順番に基づいて、受信された複数のMBMS同期データフレームに順番付け、そして、前記の順番付けの結果をもとに前記複数のMBMS同期データフレームをMBSFN区域にある他の基地局設備と同期して伝送することと、
を含むことを特徴とするスケジューリング方法。
【請求項２】
前記の基地局設備がMBMSスケジューリング順番を獲得することが、
前記の基地局設備がマルチメディア放送およびマルチキャスト・サービス協調実体MCEからのMCCHメッセージを受信することと、
前記基地局設備が前記のMCCHメッセージに含まれるMBMS搭載情報リストにあるMBMS搭載標識の出現順番をMBMSのスケジューリングする順番とすることと、
を含むことを特徴とする請求項１に記載の方法。
【請求項３】
前記の基地局設備がMCEからのMCCHメッセージを受信する前に、
前記のMCEがMBMSの会話開始メッセージに基づいてMCCHメッセージを構築することと、
前記のMCEが前記のMCCHメッセージを前記の基地局設備に伝送することと、
を含むことを特徴とする請求項２に記載の方法。
【請求項４】
前記の基地局設備がMBMSのスケジューリング順番を獲得することが、
前記の基地局設備が操作と保全O&Mシステム配置を受けることと、
前記の配置結果に基づいてMBMSのスケジューリング順番を決めることと、
を含み、前記の配置結果が臨時移動グループ標識TMGI又はMBMS標識のスケジューリング順番を含むことを特徴とする請求項１に記載の方法。
【請求項５】
前記の基地局設備がMBMSスケジューリング順番を獲得することが、
基地局設備がコアネットワークからのMBMS同期データフレームを受信することと、
前記のMBMS同期データフレームにある組み分け番号に基づいてMBMSスケジューリング順番を決めることと、
を含むことを特徴とする請求項１に記載の方法。
【請求項６】
前記の基地局設備がコアネットワークからのMBMS同期データフレームを受信する前に、
前記のコアネットワークがMBMSに順番付けし、MBMSの組み分け番号を相応なMBMS同期データフレームに加えることと、
前記のコアネットワークが前記のMBMS同期データフレームを基地局設備に伝送することと、
を含むことを特徴とする請求項５に記載の方法。
【請求項７】
複数のマルチメディア放送及びマルチキャスト・サービスMBMS同期データフレーム（以下、MBMS同期データフレームという）に対してスケジューリング伝送を行うのに使用されるスケジューリング順番を獲得する獲得モジュールと、
コアネットワークから複数のMBMS同期データフレームを受信する受信モジュールと、
前記スケジューリング順番に基づいて、受信された複数のMBMS同期データフレームに順番付ける順番付けモジュールと、
順番付けの結果に基づいて、受信された前記複数のMBMS同期データフレームをMBSFN区域にある他の基地局設備と同期して伝送する伝送モジュールと、
を含むことを特徴とする基地局設備。
【請求項８】
前記の獲得モジュールが、マルチメディア放送およびマルチキャスト・サービス協調実体MCEからのマルチメディア放送およびマルチキャスト・サービスのポイント・ツー・マルチポイント制御チャネルMCCHメッセージを受信し、前記のMCCHメッセージにあるMBMS搭載情報リストでのMBMS搭載標識の出現順番をMBMSのスケジューリング順番とすることを特徴とする請求項７に記載の基地局設備。
【請求項９】
前記の獲得モジュールが、操作と保全O&Mシステムの配置を受け、それに前記の配置の結果に基づいてMBMSのスケジューリング順番を決めることにおいて、配置の結果が臨時移動グループ標識TMGI又はMBMS標識のスケジューリング順番を含むことを特徴とする請求項７に記載の基地局設備。
【請求項１０】
前記の獲得モジュールが、前記の受信モジュールにより受信されたMBMS同期データフレームでの組み分け番号に基づいて、MBMSスケジューリング順番を決めることを特徴とする請求項７に記載の基地局設備。
【請求項１１】
コアネットワークからのマルチメディア放送およびマルチキャスト・サービスMBMS（以下、MBMSという）会話開始メッセージを受信する受信モジュールと、
前記の受信モジュールにより受信されたMBMS会話開始メッセージに基づいてマルチメディア放送およびマルチキャスト・サービスのポイント・ツー・マルチポイント制御チャネルMCCHメッセージを構築する構築モジュールと、
前記の構築モジュールにより構築されたMCCHメッセージを基地局設備に伝送することによって、前記基地局設備が複数のMBMS同期データフレームに対してスケジューリング伝送を行うのに使用されるスケジューリング順番を獲得し、獲得したスケジューリング順番に基づいて、受信された複数のMBMS同期データフレームに順番付け、順番付けの結果に基づいて、受信された前記複数のMBMS同期データフレームをMBSFN区域にある他の基地局設備と同期して伝送する伝送モジュールと、
を含むことを特徴とするマルチメディア放送およびマルチキャスト・サービス協調実体MCE。
【請求項１２】
前記のMCCHメッセージがMBMS搭載情報リストを含み、前記のMBMS搭載情報リストがMBMS搭載標識を含み、前記のMBMS搭載標識の出現順番をMBMSのスケジューリング順番とすることを特徴とする請求項１１に記載のMCE。
【請求項１３】
マルチメディア放送およびマルチキャスト・サービスMBMS（以下、MBMSという）の会話開始メッセージに基づいてマルチメディア放送およびマルチキャスト・サービスのポイント・ツー・マルチポイント制御チャネルMCCHメッセージを構築し、それに、前記のMCCHメッセージを基地局設備に伝送するマルチメディア放送およびマルチキャスト・サービス協調実体MCEと、
前記のMCEからのMCCHメッセージを受信し、前記のMCCHメッセージにあるMBMS搭載情報リストにあるMBMS搭載標識の出現順番を、複数のMBMS同期データフレームに対してスケジューリング伝送を行うのに使用されるスケジューリング順番とし、前記スケジューリング順番に基づいて、受信された複数のMBMS同期データフレームに順番付けし、前記の順番付けの結果をもとに、前記複数のMBMS同期データフレームをMBSFN区域にある他の基地局設備と同期して伝送する基地局設備と、
を含むことを特徴とする同期スケジューリング・システム。
【発明の詳細な説明】
【技術分野】
【０００１】
本出願は2009年6月29日、中国特許局に提出されたもので、公開番号が200910087933.8で、発明名称が「同期スケジューリング方法、装置とシステム」という中国特許申請の優先権であり、すべての内容は引用の形で本出願に整合されている。
【０００２】
本発明は移動通信技術分野に関するものであり、特に同期スケジューリング方法、装置とシステムに関する。
【背景技術】
【０００３】
MBMS（Multimedia Broadcast Multicast Service、マルチメディア放送およびマルチキャスト・サービス）は3GPP（3rd Generation Partnership Project、第3世代(3G) 協力関係プロジェクト） R6で定義されたマルチメディア放送及びマルチキャスト・サービス機能であり、無線子区域のユーザにマルチメディア放送およびマルチキャスト・サービスを提供するものであり、LTE（Long Term Evolution，長期的な発展）システムの中、MBMS専用周波数層及び非MBMSサービス共有周波数層ともにMBMSを提供でき、MBMSの使用できるLTE子区域はMBMSの専用子区域であってもよいし、MBMS/UNICAST共存の子区域であってもよい。
【０００４】
この中で、MBMS専用周波数層は専門的にMBMSの伝送に使用される周波数層であり、子区域がMBMS専用周波数層に位置する場合、MBMS専用子区域となり、子区域が専門的なMBMS伝送用周波数層でないと配置された場合、当子区域はMBMS/UNICAST共存の子区域である。MBMS/UNICAST共存の子区域のUNICASTとMBMSサービスが協力しあい、伝送を行う。あるときはMBMSサービス伝送を行うが、ほかのときはUNICASTサービス伝送を行い、MBMSは単独子区域への伝送を実現できるが、多子区域への伝送もできる。MBMSの単独子区域伝送というのはMBMSが一つの指定されている子区域範囲内の伝送であり、複数子区域からのMBMS伝送を支持しない。また、MBMSの複数子区域伝送にはMBSFNの伝送方式が必要とされる。
【０００５】
MBSFN（Multicast Broadcast Single Frequency Networkマルチキャスト単調ネットワーク）は同期に同じ周波数で複数の子区域に同期伝送を行う方式を指して、周波数資源の節約ができ、それに周波数スペクトルの使用率を向上することもできる。MBSFNは複数の子区域が同時にまったく同じ内容を伝送することを要求し、UE（User Equipment、ユーザ設備）受信機が複数のMBSFN子区域を一つの大きな子区域とし、ほかの近所子区域からの伝送干渉を受けるどころか、複数のMBSFN子区域間の信号重ね合わせから利益を受ける。MBMS専用子区域と、MBMS/UNICAST共存子区域ともにMBSFN伝送方式を使用できる。また、先進的なUEレシーバー技術を活用して多ルーツ伝送の時間差問題も解決でき、子区域内の干渉をなくすことができる。ほか、複数子区域の同周波数伝送によるダイバーシティー効果がブランド・エリアの問題も解決でき、受信の信頼性と被覆率を向上することができる。
【０００６】
MBMS複数子区域伝送技術の特色は次の通り、即ち、MBSFN区域内のMBMSの同期伝送、複数の子区域伝送の複合も支持すること、MTCH（MBMS point-to-multipoint Traffic Channel）とMCCH（MBMS point-to-multipoint Control Channel）がPTM（Point to Multi-point、P2MP、ポイント・ツー・マルチポイント）の伝送のMCH（Multicast Channel）に使用できること、及びMBSFN同期区域がO&M（Operation and Maintenance）システムを通じて半静態配置にできることである。
【０００７】
MBMSの周波数スペクトル効率は2bps/Hz以上に達する。搬送波バンド幅が20 MHzであれば、一つのサブフレームが少なくとも40Kのメッセージbitを携帯できる。周波数資源の利用率を高めるため、統計多重化をマルチストリーム伝送システムに使用し、マルチストリームを共有資源に多重化を実施することによって、利得を獲得できる。統計多重化は放送システムにも活用でき、統計特性を通じて、利得を獲得できる。MBMSの複数子区域伝送は、複数のMBMSが同じMCHに反射し、MCHの適当な資源配分と複数のサービスがMCHでの動態的スケジューリングを実施し、動態的多重化利得を得る。
【０００８】
複数の子区域伝送内容の同期機制は以下の条件、即ち、
無線フレームを同時に伝送できる為に、MBSFN同期区域内のすべての基地局が同期無線フレームタイミングを獲得すること、
各基地局が同じMBMSあるいはMCCHコントロールメッセージに、同じRLC（Radio Link Control）/ MAC（Media Access Control、メディアアクセス制御）/ PHY（Physical、物理）層配置を実施すること、
EMBMS（Evolution Multimedia Broadcast Multicast Service）GW（Gate Way）がSYNC同期プロトコルのあるMBMSを組に分けて各伝送サービスの基地局に放送すること、
各基地局が指定された伝送時刻で空きインターフェースの指定された資源にMCCHメッセージを伝送し、それに、SYNCプロトコルに基づいて、MBMSデータを伝送すること、
を満たす。
【０００９】
また、一定のスケジューリング間隔内で基地局が同期に複数のMBMSデータを伝送ことを確保するために、LTEシステムはMSCH（MBMS point-to-multipoint Scheduling Channelマルチメディア放送およびマルチキャスト・サービスのポイント・ツー・マルチポイント制御チャネル）も定義した。
【発明の概要】
【発明が解決しようとする課題】
【００１０】
発明者は本発明を開発する中で、今の技術が少なくとも以下の問題が存在することを見出した。
【００１１】
現在のシステム・デザインの中で、基地局がすべてのサービスの同期データフレームを受信された後、異なるサービスの動態的スケジューリングを実施するための相応機制がないため、MBSFN区域でのすべての基地局の間におけるサービスデータの同期スケジューリングの実施を確保できず、複数のMBMSサービスの同期多重化伝送を行うことができず、MSCHも同期スケジューリングできないという問題がある。
【００１２】
本発明実施形態は同期スケジューリング方法、装置とシステムを提供し、基地局設備の間に複数のMBMSの同期スケジューリングと同期多重化の実施を確保することを目的とする。
【課題を解決するための手段】
【００１３】
上述の課題を解決し、目的を達成する為に、本発明は以下の構成を備える。
【００１４】
本発明実施形態は同期スケジューリング方法を提出して、この方法が二段階、即ち、
前記の基地局設備が前記のマルチメディア放送およびマルチキャスト・サービスMBMSのスケジューリング順番を獲得すること、
前記の基地局設備が前記のMBMSのスケジューリング順番に基づいて、受信されたMBMS同期データフレームに順番つけ、そして、その順番によって前記のMBMS同期データフレームを伝送すること、
を含む。
【００１５】
更に、本発明実施形態は基地局設備も提出して、その特徴としては四つのモジュール、即ち、
マルチメディア放送およびマルチキャスト・サービスMBMSのスケジューリング順番を獲得する獲得モジュール、
コアネットワークからのMBMS同期データフレームを受信する受信モジュール、
前記の獲得モジュールにより獲得されたMBMSのスケジューリング順番に基づいて、前記の受信モジュールにより受信されたMBMS同期データフレームに順番付ける順番付けモジュール、
前記の順番付けモジュールの順番付け結果に基づいて、前記の受信モジュールにより受信されたMBMS同期データフレームを伝送する伝送モジュール、
を含む。
【００１６】
その上、本発明実施形態は、マルチメディア放送およびマルチキャスト・サービス協調実体MCEも提出して、MCEが三つのモジュール、即ち、
コアネットワークからのマルチメディア放送およびマルチキャスト・サービスMBMSの会話開始メッセージを受信する受信モジュール、
前記の受信モジュールが受信されたMBMSの会話開始メッセージに基づいて、点から複数点までのコントロール信号チャンネルMCCHメッセージを構築する構築モジュール、
構築モジュールが構築したMCCHメッセージを基地局設備に伝送し、基地局が前記のMCCHメッセージをもとにMBMSのスケジューリング順番を獲得する伝送モジュール、
を含む。
【００１７】
その上、本発明実施形態は同期スケジューリング・システムを提出して、このシステムが二つの要素、即ち、
マルチメディア放送およびマルチキャスト・サービスMBMSの会話開始メッセージに基づいてマルチメディア放送およびマルチキャスト・サービスMBMSの点から複数点までのコントロール信号チャンネルMCCHメッセージを構築し、そして、前記のMCCHメッセージを基地局設備に伝送するマルチメディア放送およびマルチキャスト・サービス協調実体MCE、
前記のMCEからのMCCHのメッセージを受信し、そして、前記のMCCHメッセージに含まれるMBMS搭載情報リストにあるMBMS搭載標識の出現順番をMBMSのスケジューリング順番とし、その順番に基づいて、受信されたMBMS同期データフレームを順番つけ、前記の順番をもとにMBMS同期データフレームを伝送する基地局設備、
を含む。
【発明の効果】
【００１８】
本発明実施形態の技術方案は以下の長所を持ち、即ち、基地局設備がMBMS同期データフレームを伝送する前に、MBMSのスケジューリング順番を獲得し、それに当該スケジューリング順番に基づいて、受信されたMBMS同期データフレームに順番付けることによって、基地局設備の間に複数のMBMSに対して同期スケジューリングと同期多重化を実施できることを確保し、システムがMBMSサービスの統計多重化利得を獲得するという効果を奏する。
【図面の簡単な説明】
【００１９】
【図１】本発明実施の形態１に係る同期スケジューリング方法のフロー図である。
【図２】本発明実施の形態2に係る同期スケジューリング方法のフロー図である。
【図３】本発明実施の形態3に係る同期スケジューリング方法のフロー図である。
【図４】本発明実施の形態4に係る同期スケジューリング方法のフロー図である。
【図５】本発明実施の形態4に係るMBMS同期データフレームのフォーマット表示図である。
【図６】本発明実施の形態5に係る基地局設備構成の表示図である。
【図７】本発明実施の形態6に係るMCE構成表示図である。
【図８】本発明実施の形態7に係る同期スケジューリングシステム構築表示図である。
【発明を実施するための形態】
【００２０】
本発明実施形態の提供する技術方案は、基地局設備がMBMS同期データフレームを伝送する前に、MBMSのスケジューリング順番を獲得し、その順番に基づいて受信されたMBMS同期データフレームに順番付けることによって、基地局の間での複数MBMS同期スケジューリングと同期多重化の実施を確保するものである。
これから、本発明実施形態の添付図に合わせて、本発明実施形態の技術案を明らかに且つ完全に説明する。しかし、この実施形態は本発明の一部であり、全部ではない。本発明実施形態に基づき、当業者が作ったイノベーションのないほかの実施形態は全て本発明の保護範囲に属する。
【００２１】
実施の形態１
図1に示すのは、本発明実施の形態１の同期スケジューリング方法のフロー図であり、以下のステップを含む。
【００２２】
ステップ101：基地局設備がMBMSのスケジューリング順番を獲得し、具体的にいうと、基地局設備がMCE（MBMS Coordination Entity:マルチメディア放送およびマルチキャスト・サービス協調実体）からのMCCHメッセージを受信し、そのMCCHメッセージに含まれるMBMS搭載情報リストにあるMBMS搭載標識の現れる順番をMBMSのスケジューリング順番とする。そのほか、O&Mシステムからの配置を受信してから、配置の結果に基づいて、MBMSのスケジューリング順番を決めることもできる。配置結果にはTMGI（Temporary Mobile Group Identity）あるいはMBMS標識のスケジューリング順番を含む。  また、コアネットワークからのMBMS同期データフレームも受信でき、MBMS同期データフレームの組の番号に基づいてMBMSのスケジューリング順番を決める。
【００２３】
ステップ102：基地局設備がMBMSのスケジューリング順番に基づいて、受信されたMBMS同期データフレームに順番付ける。その順番の下で、MBMS同期データフレームを伝送する。
【００２４】
基地局設備がMBMS同期データフレームを受信する前に、MCCHメッセージに含まれるIPマルチキャスト・アドレスに基づいて相応なマルチキャストグループに加える。IPネットワークが接続されていないため、基地局設備により受けられる複数のMBMS同期データフレームが不規則に受信される。従って、基地局設備がMBMSのスケジューリング順番を決めた後、不規則に受信された複数のMBMS同期データフレームに順番付けし、順番付けの結果によってMSCHを通じてMBMS同期データフレームに対してスケジューリング伝送を行う。
【００２５】
本発明実施形態の技術方案には具体的に以下の長所がある。基地局設備がMBMS同期データフレームを伝送する前に、MBMSのスケジューリング順番を獲得し、その順番に基づいて、受信されたMBMS同期データフレームに順番付けることによって、基地局設備の間での複数MBMS同期スケジューリングと同期多重化の実施を確保し、システムがMBMSサービスの統計多重化利得を獲得するよう保証する。
【００２６】
実施の形態2
以上の実施形態は同期スケジューリング方法を提供し、本発明の以下の実施形態は具体的な使用状況に合わせて方法を詳細且つ具体的に説明する。
【００２７】
図2に示すのは、本発明実施の形態2に係る同期スケジューリング方法のフロー図であり、以下のステップを含む。
【００２８】
ステップ201：MCEがMBMSの会話開始メッセージに基づいてMCCHメッセージを構築し、具体的に言うと、MBSFN区域にあるすべての基地局設備の間でのMCCH同期実施を確保するために、MCEにより、MCCHメッセージの内容を統一に配置する必要があり、MCEがコアネットワークからのMBMSの会話開始メッセージの受信順番により、MCCHメッセージを配置できて、たとえば、仮にMBMS＝2のサービスの相応な会話開始メッセージが先に受信されたら、TMGI=2 のサービスのRB id（Radio Bear Identity搭載標識）を1と設置し、TMGI＝1のサービスの相応な会話開始メッセージが後で受信されると、順番にTMGI＝1のサービスのRB idが2と設定する。図1に示されているのはMCCHメッセージの組織フォーマット表である。
【表１】
0005416275.tif 000002
【００２９】
ステップ202：MCEがMCCHメッセージを基地局設備に伝送し、具体的にいうと、MCEがM2接続口を通じて構築されたMCCHメッセージをMBSFN区域にある各基地局設備に伝送する。
【００３０】
ステップ203：基地局設備がMCEからのMCCHメッセージを受信する。
【００３１】
ステップ204：基地局設備がMCCHメッセージに含まれるMBMS搭載情報リストでのMBMS搭載標識の出現順番をMBMSのスケジューリング順番とし、それにMCCHメッセージにあるIPマルチキャストアドレスに基づいて相応なマルチキャスト・グループに加える。
【００３２】
この中で、MCCHメッセージにあるMBMS搭載情報リストがMBMS搭載標識、MBMSサービス標識、MBMS会話標識とIPマルチキャストアドレスを含み、基地局設備がMBMS搭載標識の出現順番をスケジューリング時間内にMSCHにより異なるMBMSをスケジューリングするための順番とし、又は、異なるMBMSサービス面で配置されるIPマルチキャストアドレスに基づいて、相応なマルチキャスト・グループに加えることができる。
【００３３】
ステップ205：基地局設備がコアネットワークからのMBMS同期データフレームを受信し、具体的に言うと、基地局設備がMBMSの相応なマルチキャストグループに加えると、コアネットワークからのMBMSを受信し始め、MBMS同期データフレームを獲得し、MBMS同期データフレームに同期プロトコルヘッダ、つまり、異なる基地局設備に統一の伝送時刻を含む。
【００３４】
ステップ206：基地局設備がMBMSスケジューリング順番に基づいて、受信されたMBMS同期データフレームの順番を付けなおす。
【００３５】
IPネットワークが接続されていないため、基地局設備は複数のMBMS相応な同期データフレームがシャッフルに受信し、MBSFN区域にある基地局設備間でのサービスデータが同期に伝送できるよう、基地局設備がステップ204により決められたMBMSスケジューリング順番に基づいて、異なるMBMS相応な同期データフレームに順番付けし、統一のサービス伝送順番を約束することができる。
【００３６】
ステップ207：基地局設備が順番付けした結果に基づいてMBMS同期データフレームを伝送する。
【００３７】
基地局設備が異なるMBMSのサービス伝送順番を決めた後、MSCHを通じてMBMS同期データフレームをスケジューリング伝送を行う。MBMSに変更があった場合、MCEはM2接続口を通じて基地局設備に更新後のMBMS搭載標識順番を伝送する。これと対応して、基地局設備が更新されたMBMS搭載標識順番をもとに新しいサービス順番を決め、次のスケジューリング周期で新しいサービス順番に基づいて、MBMS同期データフレームの順番付けとスケジューリング伝送を実施する。
【００３８】
説明を要するのは、本発明実施形態の方法が実際の状況に合わせて各ステップの順番を調整できることである。
【００３９】
本発明実施形態の技術方案が以下の長所を持ち、即ち、基地局設備が受信されたMCCHメッセージを通じてMBMSのスケジューリング順番を獲得し、それに当該順番に基づいて受信されたMBMS同期データフレームに順番付けすることによって、基地局設備間での複数MBMSの同期スケジューリングと同期多重化の実施を確保し、システムにMBMSサービスの統計多重化利得を獲得させる。
【００４０】
前記の実施形態においては、基地局設備が受信されたMCCHメッセージに基づいてMBMSスケジューリング順番を獲得することができて、O&MシステムによってMBMSスケジューリング順番を配置することもできる。
【００４１】
実施の形態3
図3は、本発明実施の形態3に係る同期スケジューリング方法のフロー図であり、以下のステップを含む。
【００４２】
ステップ301：O&Mシステムが基地局設備にTMGI又はMBMS標識のスケジューリング順番を配置する。
【００４３】
ステップ302：基地局設備がO&Mシステム配置を受け、それに、配置の結果に基づいて、MBMSスケジューリング順番を決める。
【００４４】
ステップ303：基地局設備がMCEからのMCCHメッセージを受信し、それにMCCHメッセージでのIPマルチキャストアドレスに基づいて相応なマルチキャストグループに加入する。
【００４５】
この中で、MCCHメッセージの中のMBMS搭載情報リストがMBMS搭載標識、MBMSサービス標識、MBMS会話標識及びIPマルチキャストアドレスを含む可能性があるので、基地局設備がMBMS搭載情報リストにあるIPマルチキャストアドレスだけ獲得し、それに異なるMBMSサービス面で配置されるIPマルチキャスト・アドレスに基づいて、相応なマルチキャストグループに加入する。
【００４６】
ステップ304：基地局設備がコアネットワークからのMBMS同期データフレームを受信し、具体的に言うと、基地局設備がMBMS相応なマルチキャストグループに加入すると、コアネットワークからMBMSサービスデータ放送を受信し、MBMS同期データフレームを獲得し、当該MBMS同期データフレームが同期プロトコルヘッダ、つまり、異なる基地局設備に対する統一的な伝送時刻を含む。
【００４７】
ステップ305：基地局設備がMBMSのスケジューリング順番に基づいて、受信されたMBMS同期データフレームに順番付けしなおす。
【００４８】
IPネットワークが接続されていないため、基地局設備が複数のMBMS相応な同期データフレームを無秩序に受信し、MBSFN区域にあるすべての基地局設備間のサービスデータを同期に伝送できることを確保するため、基地局設備がステップ302に決められたMBMSスケジューリング順番に基づいて異なるMBMSに相応な同期データフレームに順番付けし、統一的なサービス伝送順番を約束する。
【００４９】
ステップ306：基地局設備が順番付けの結果に基づいてMBMS同期データフレームを伝送する。
【００５０】
基地局設備が異なるMBMSサービス伝送順番を決めた後、MSCHを通じてMBMS同期データフレームをスケジューリング伝送する。MBMSに変更があった場合、O&Mシステムは基地局設備に新たなTMGIあるいはMBMS標識のスケジューリング順番を配置する。これと相応して、基地局設備が新たな配置結果に基づいて新たなサービス順番を決め、次のスケジューリング周期でその新たな順番に基づいて、MBMS同期データフレームの順番付けとスケジューリング伝送を行う。
【００５１】
ここで説明を要するのは、本発明実施形態の方法が実際の状況に合わせてステップを調整することができることである。
【００５２】
本発明実施形態の技術方案には以下の長所があり、即ち、基地局設備がO&Mシステムの配置結果によって、MBMSスケジューリング順番を獲得し、その順番に基づいて受信されたMBMS同期データフレームに順番付けることによって、基地局設備間の複数MBMS同期スケジューリングと同期多重化の実施を確保し、システムのMBMSサービスの統計多重化利得を獲得する。
【００５３】
前記の実施形態の中、O&MシステムによりMBMSのスケジューリング順番を配置し、この順番もまた、コアネットワークであらかじめ設定することができる。
【００５４】
実施の形態4
図4に示すのは、本発明実施の形態4に係るスケジューリング方法のフロー図であり、以下のステップを含む。
【００５５】
ステップ401：基地局設備がMCEからのMCCHメッセージを受信し、MCCHメッセージに含まれるIPマルチキャストアドレスに基づいて相応なマルチキャストグループに加入する。
【００５６】
この中で、MCCHメッセージの中のMBMS搭載のメッセージリストにはMBMS搭載標識、MBMSサービス標識、MBMS会話標識とIPマルチキャストアドレスがあり、基地局設備がMBMS搭載情報リストにあるIPマルチキャストアドレスだけを獲得でき、異なるMBMSサービス面配置のIPマルチキャストアドレスに基づいて、相応なマルチキャストグループに加入する。
【００５７】
ステップ402：コアネットワークがMBMSに順番付けし、組み分けの番号を相応なMBMS同期データフレームに加え、具体的に言うと、コアネットワークがあらかじめMBMSに順番付けし、そして順番つけたMBMSの組み分け番号を相応なMBMS同期データフレームに加える。図5が本発明実施の形態4のMBMS同期データフレームのフォーマット表示図である。
【００５８】
この中で、TimestampがMBMSのエアインターフェースに絶対タイムスタンプを伝送する。Packet NrがすべてのMBMS順番付けした後の組み分け番号であり、Elapsed Octet ctrが伝送済みのバイト数である。
【００５９】
ステップ403：コアネットワークがMBMS同期データフレームを基地局設備に伝送する。
【００６０】
ステップ404：基地局設備がコアネットワークからのMBMS同期データフレームを受信し、そのMBMS同期データフレームに含まれる組み分け番号に基づいて、MBMSのスケジューリング順番を決め、具体的に言うと、基地局設備がMBMS相応なマルチキャストグループに加入したあと、コアネットワークからもMBMSを受信し始め、MBMS同期データフレームを獲得する。そのMBMS同期データフレームには同期プロトコルヘッダ、つまり、異なる基地局設備に統一の伝送時刻を含む。
【００６１】
ステップ405：基地局設備がMBMSのスケジューリング順番をもとに受信されたMBMS同期データフレームに順番を付けなおす。
【００６２】
IPネットワークが接続されていないので、基地局設備が複数のMBMS相応な同期データフレームがシャッフルに受信し、MBSFN区域にあるすべての基地局設備間のサービスデータが同期に伝送できるよう、基地局設備がステップ404に決められたMBMSスケジューリング順番に基づいて、異なるMBMS相応なスケジューリング順番を新たに付け、統一のサービス伝送順番を約束する。
【００６３】
ステップ406：基地局設備が順番付けの結果に基づいて、MBMS同期データフレームを伝送する。
【００６４】
基地局設備がMBMSのサービス伝送順番を決めた後、MSCHを通じてMBMS同期データフレームに対してスケジューリング・伝送を行う。
【００６５】
説明を要するのは、本発明実施形態の方法が実際の状況に合わせて各ステップ順番を調整できることである。
【００６６】
本発明実施形態の技術方案には以下の長所があり、即ち、基地局設備がMBMS同期データフレームの組み分け番号からMBMSスケジューリング順番を獲得し、その順番に基づいて受信されたMBMS同期データフレームに順番付けることによって、基地局の間の多ううMBMSの同期スケジューリングと同期多重化の実施を確保し、システムのMBMSサービスの統計多重化の利得を獲得する。
【００６７】
本発明の前記の実施形態が同期スケジューリング方法と具体的な使用状況を提供して、以下の実施形態は上述方法の装置とシステムを提供する。
【００６８】
実施の形態5
図6は本発明実施の形態5に係る基地局設備構築のフロー図であり、下記のモジュールを含む。
【００６９】
獲得モジュール610：MBMSのスケジューリング順番を獲得して、
前記の獲得モジュール610は基地局設備の中、MBMSのスケジューリング順番を獲得するための部分であり、ソフトウエアであってもよいし、ハードウエアであってもよいし、又は両者の集合体であってもよい。
【００７０】
受信モジュール620：コアネットワークからのMBMS同期データフレームを受信し、  具体的に言うと、獲得モジュール610は獲得モジュール620の受信されたMCCHメッセージに含まれるMBMS搭載標識の出現順番をMBMSのスケジューリング順番とする。また、O&Mシステムの配置も受信でき、配置の結果に基づいてMBMSのスケジューリング順番を決めることもできる。この配置結果にはTMGIあるいはMBMS標識のスケジューリング順番がある。コアネットワークからのMBMS同期データフレームを受信し、そのMBMS同期データフレームにあるMBMS組分け番号に基づいてMBMSのスケジューリング順番を決めることもできる。
【００７１】
前記の受信モジュール620が基地局設備の中、コアネットワークからのMBMS同期データフレームを受信する部分であり、ソフト、ハードウエア、あるいは両者の集合体であってもよい。
【００７２】
順番付けモジュール630：獲得モジュール610の受信されたMBMSスケジューリング順番に基づいて、受信モジュール620の受信されたMBMS同期データフレームに順番付けして、この順番付けモジュール630が基地局設備においてMBMS同期データフレームに順番付けする部分であり、ソフト、ハードウエア、あるいは両者の集合体であってもよい。
【００７３】
伝送モジュール640：順番付けモジュール630の順番付けの結果に基づいて、受信モジュール620の受信されたMBMS同期データフレームに順番付けし、具体的に言うと、受信モジュール620がMBMS同期データフレームを受信する前、MCCHメッセージにあるIPマルチキャストアドレスに基づいて、相応なマルチキャストグループに加入する。IPネットワークが接続されていないため、受信モジュール620が複数のMBMS同期データフレームをシャッフルに受信するため、順番付けモジュール630が獲得モジュール610のきめたMBMSのスケジューリング順番に基づいて、シャッフルに受信された複数のMBMS同期データフレームに順番付けする。また、伝送モジュール640が順番付けの結果に基づいてMSCHを通じてMBMS同期データフレームをスケジューリング伝送し、この伝送モジュール640が基地局設備においてMBMS同期データフレームを伝送する部分であり、ソフトであっても、ハードウエアであっても、あるいは両者の集合体であってもよい。
【００７４】
前記の獲得モジュール610が、具体的に言うと、MCEからのMCCHメッセージを受信し、MCCHメッセージに含まれるMBMS搭載情報リストにあるMBMS搭載標識の出現順番をMBMSのスケジューリング順番とする役割を果たす。
【００７５】
また、MCCHメッセージにあるMBMS搭載情報リストには、MBMS搭載標識、MBMSサービス標識、MBMS会話表s木とIPマルチキャストアドレスがある。獲得モジュール610がMBMS搭載標識の出現順番をMSCHのスケジューリング時間内で異なるMBMSをスケジューリングする順番とし、また、異なるMBMSサービス面配置のIPマルチキャストアドレスにより、相応なマルチキャストアドレスに加入する。
【００７６】
前記の獲得610が、また具体的にO&Mシステムの配置の受信にも使用でき、配置の結果に基づいてMBMSのスケジューリング順番を決める。この配置結果にはTMGIあるいはMBMS標識のスケジューリング順番を含む。
【００７７】
獲得モジュール610はまた具体的に受信モジュール620の受信されたMBMS同期データフレームにある組み分け番号に基づいてMBMSのスケジューリング順番をきめる役割も果たしている。
【００７８】
本発明実施形態の技術方案には以下の長所がある。基地局設備がMBMS同期データフレームを伝送するまえにMBMSのスケジューリング順番を獲得し、また、その順番に基づいて、受信されたMBMS同期フレームに順番付けする。これによって、基地局設備の間での複数MBMSの同期スケジューリングと同期多重化の実施を確保し、システムのMBMSサービスの統計多重化利得を獲得する。
【００７９】
実施の形態6
図7は、本発明実施の形態6に係るMCE構築フロー図であり、以下の内容を含む。
【００８０】
受信モジュール710：コアネットワークからのMBMS会話開始メッセージを受信して、  この受信モジュール710は前記のMCEにおいてコアネットワークからのMBMS会話開始メッセージを受信する部分であり、ソフトウエア又はハードウエアであってもよいし、あるいは両者の集合体であってもよい。
【００８１】
構築モジュール720：受信モジュール710により受信されたMBMS会話開始メッセージに基づいてMCCHメッセージを構築する。
【００８２】
MBSFN区域のすべての基地局設備の間のMCCHの同期を確保するため、構築モジュール720がMCCHメッセージの内容を統一に配置し、具体的に言うと、構築モジュール720がコアネットワークからのMBMS会話開始メッセージの受信順番に基づいてMCCHメッセージを配置する。たとえば、仮にTMGI＝2のサービス対応会話開始メッセージを先に受信されたとすると、TMGI＝2のサービスのRB id（Radio Bear Identity）が1と設定する。TMGI＝1のサービス相応な会話開始メッセージを続いて受信するとすると、順番設定TMGI＝1のサービスのRB idが2となる。
【００８３】
前記の構築モジュール720はMCEにおいてMCCHメッセージの構築を担当する部分である。ソフトウエアであってもよいし、ハードウエアであってもよいし、あるいは両者の集合体でってもよい。
【００８４】
伝送モジュール730：構築モジュール720の構築したMCCHメッセージを基地局設備に伝送し、基地局設備がMCCHメッセージに基づいてMBMSのスケジューリング順番を獲得させ、具体的に言うと、伝送モジュール730がM2接続口を通じてMCCHメッセージをMBSFN区域のすべての基地局に伝送する。
【００８５】
前記のMCCHメッセージはMBMS搭載情報リストを含み、当該リストには、MBMS搭載標識が含まれている。そのMBMS搭載標識の出現順番がMBMSのスケジューリング順番にする。
【００８６】
前記の伝送モジュール730が前記のMCEにおいてMCCHメッセージを基地局に伝送する役割を果たす部分であり、ソフトウエアであってもよいし、ハードウエアであってもよいし、あるいは両者の集合体であってもよい。
【００８７】
基地局設備がMCEからのMCCHメッセージを受信し、そのMCCHメッセージにあるMBMS搭載情報リストに含まれるMBMS搭載標識の出現順番がMBMSのスケジューリング順番になる。そして、MCCHメッセージにあるIPマルチキャストアドレスに基づいて相応なマルチキャストグループに加入する。
【００８８】
MCCHメッセージにあるMBMS搭載標識リストにはMBMS搭載標識、MBMSサービス標識、MBMS会話標識とマルチキャストアドレスを含む。基地局がMBMS搭載標識の出現順番をMSCHのスケジューリング時間内で異なるMBMSのスケジューリング順番とし、また、異なるMBMSサービス面配置のIPマルチキャストアドレスに基づいて、相応なマルチキャストグル―プに加入する。
【００８９】
基地局がMBMS相応なマルチキャストグループに加入した後、コアネットワークからのMBMSを受信し始め、MBMS同期データフレームを獲得する。そのMBMS同期データフレームには同期プロトコルヘッダ、つまり、異なる基地局に対する統一の伝送時刻が含まれている。
【００９０】
IPネットワークが接続されていないため、基地局設備が複数のMBMS相応な同期データフレームをシャッフルに受信する。MBSFN区域のすべての基地局設備の間のサービスデータフレームの同期伝送を確保するため、基地局設備が設定したMBMSスケジューリング順番に基づいて、異なるMBMS相応な同期データフレームに順番付けし、統一のサービス伝送順番を約束する。
【００９１】
基地局設備が異なるMBMSサービス伝送順番を決めた後、MSCHを通じてMBMS同期データフレームをスケジューリング伝送する。MBMSに変更があった場合、伝送モジュール730がM2接続口を通じて基地局に更新後のMBMS搭載標識順番を伝送する。これと相応して、基地局設備が更新されたMBMS搭載標識順番に基づいて、新たなサービス順番を決める。そして、次のスケジューリング周期で、新しいサービス順番に基づいてMBMS同期データフレームの順番付けとスケジューリング伝送を行う。
【００９２】
本発明実施形態の技術方案には以下の長所があり、つまり、基地局設備が受信されたMCCHメッセージからMBMSのスケジューリング順番を獲得し、その順番に基づいて、受信されたMBMS同期データフレームに順番付けすることによって、基地局設備間の複数MBMSの同期スケジューリングと同期多重化を確保し、システムのMBMSサービスの統計多重化利得を獲得する。
【００９３】
実施の形態7
図8は本発明実施の形態7に係る同期スケジューリングシステム構築のフロー図であり、以下の内容を含む。
【００９４】
MCE810：MBMS会話開始メッセージに基づいてMCCHメッセージを構築し、また、構築したMCCHメッセージを基地局設備820に伝送し、具体的に言うと、MBSFN区域のすべての基地局の間のMCCHの同期を確保するため、MCE810によるMCCHメッセージ内容の統一配置が必要とされる。MCE810がコアネットワークからのMBMSの会話開始メッセージの到着順番に基づいて、MCCHメッセージを配置する。たとえば、仮にTMGI＝2サービスの相応な会話開始メッセージが先に到着するとすると、TMGI＝2サービスのRB idが1と設定される。TMGI＝1サービス相応な会話開始メッセージが続いて到着したら、順番にTMGI＝1サービスのRB idが2と設定される。
【００９５】
MCE810がM2接続口を通じて構築したMCCHメッセージをMBSFN区域のすべての基地局設備に伝送する。
【００９６】
基地局設備820：MCE810からのMCCHメッセージを受信し、そして、MCCHにあるMBMS搭載情報リストに含まれるMBMS搭載標識の出現順番をMBMSスケジューリング順番とし、その順番に基づいて、受信されたMBMS同期データフレームに順番付けし、そして、順番付けの結果により、MBMS同期データフレームを伝送する。
【００９７】
MCCHメッセージにあるMBMS搭載標識リストにはMBMS搭載標識、MBMSサービス標識、MBMS会話標識とIPマルチキャストアドレスを含む。基地局設備820がMBMS搭載標識の出現順番をMSCHのスケジューリング時間内で異なるMBMSをスケジューリングするための順番とする。また、異なるMBMSサービス面配置のIPマルチキャストアドレスに基づいて、相応なマルチキャストグル―プに加入する。
【００９８】
基地局設備820がMBMS相応なマルチキャストグル―プに加入した後、コアネットワークからのMBMSを受信し始め、MBMS同期データフレームを獲得する。このMBMS同期データフレームはプロトコルヘッダ、つまり、異なる基地局設備に対する統一の伝送時刻を含む。
【００９９】
IPネットワークが接続されていないため、基地局820が複数MBMS相応な応期データフレームをシャッフルに受信する。MBSFN区域のすべての基地局設備の間のサービスデータが同期に伝送できるため、基地局設備820は設定したMBMSスケジューリング順番に基づいて、異なるMBMS相応な同期データフレームに順番付けし、統一のサービス伝送順番を約束する。
【０１００】
基地局設備820がMBMSサービス伝送順番を決めた後、MSCHを通じて、MBMS同期データフレームをスケジューリング伝送する。MBMSに変更があった場合、MCE810がM2接続口を通じ基地局設備820に更新したMBMS搭載標識順番を伝送し、これと相応して、基地局設備820が更新したMBMS搭載標識順番に基づいて新しいサービス順番を決め。そして、次のスケジューリング周期で新しいサービス順番に基づいて、MBMS同期データフレームの順番付けとスケジューリング伝送を行う。
【０１０１】
本発明実施形態の技術方案には以下の長所がある。基地局設備820が受信されたMCCHメッセージからMBMSスケジューリング順番を獲得し、その順番に基づいて受信されたMBMS同期データフレームに順番付けする。これによって、基地局の間の複数MBMSの同期スケジューリングと同期多重化の実施を確保し、システムのMBMSサービスの統計多重化利得を獲得する。
【０１０２】
前記の実施形態の説明を通じて、当業者は本発明がソフトと必須のハードウエアで実現できることが理解したと思う。当然、ハードウエアであっても実現できるが、前者がよりよい実施形態である。これを理解したうえで、本発明の技術方案がその本質が、あるいは、現段階の技術に貢献できる部分が、ソフトという形式で表現できる。このコンピューターソフト製品が一つの記憶媒体に記憶され、この中で若干の一つの末端設備（携帯電話、PC、サーバー、ネット設備など）が本発明の各実施形態の方法を執行するための指令が含まれている。
【０１０３】
上述は本発明のよりよい実施形態である。しかし、ここで説明を要するのは、当業者が、本発明原理に基づいて、方法を改進・修飾することができるが、その改善と修飾も本発明の保護範囲に属することである。
【０１０４】
当業者が本実施形態に係る装置のモジュールを理解し、実施形態の説明通りに実施形態に係る装置に配置することができる。また、実際の状況に合わせて実施し、本実施形態と異なる一つ、あるいは複数の装置に配置することもできる。前記の実施形態のモジュールを一体に集成してもよいが、分散して配置してもよいし、集成して一つのモジュールになってもよいし、それに複数のサブモジュールにしてもよい。
【０１０５】
上述の本発明実施形態の番号は説明上の便利のためであり、実施形態の優劣を意味しない。
【０１０６】
以上は本発明の幾つかの具体的な実施形態であるが、本発明はこれらに限らず、当業者の考え付く如何なる変更も本発明の保護範囲に属する。
【図１】
0005416275.tif 000003
【図２】
0005416275.tif 000004
【図３】
0005416275.tif 000005
【図４】
0005416275.tif 000006
【図５】
0005416275.tif 000007
【図６】
0005416275.tif 000008
【図７】
0005416275.tif 000009
【図８】
0005416275.tif 000010